(57)【要約】      （修正有）【課題】筋肉の嵩が増大しても、静的圧縮時と同程度の圧縮を維持できる圧縮衣料を提供する。【解決手段】下胴と脚等の体部を覆う隠すための圧縮衣料５０を提供する。体部には大臀筋４９の側縁等の筋肉稜が含まれる。圧縮衣料はシーム３２で接合される第１のパネルと第２のパネルを有する。シームの少なくとも一部は、大臀筋の縁部である筋肉稜の少なくとも一部と対応するようになっている。また、サイズの変更を計算して所望圧縮を生成するアルゴリズムを用いる、圧縮衣料の製造方法である。【選択図】図１４
2014211005.tif 000002
【特許請求の範囲】
【請求項１】
筋肉稜を含む体部を覆うための圧縮衣料であって、該衣料は第１の伸縮性材料パネルとこれにシームで接合する第２の伸縮性材料パネルとを有し、該シームの少なくとも一部が筋肉稜の少なくとも一部に対応するようにして成る圧縮衣料。
【請求項２】
シームの実質部が衣料の着用時に垂直である請求項１の圧縮衣料。
【請求項３】
第１又は第２パネルが実質的に筋肉群を画成して成る請求項１又は２の圧縮衣料。
【請求項４】
衣料が上半身衣料であり、筋肉稜が次のもの、即ち
ａ）前鋸筋群の側縁
ｂ）前鋸及び外三角筋群の側縁
ｃ）広背筋群の側縁
ｄ）上腕二頭筋の稜
から選ばれたものである請求項１〜３の何れか１つの圧縮衣料。
【請求項５】
第１又は第２パネルが
ａ）前鋸筋群
ｂ）前鋸及び外三角筋群
ｃ）広背筋群
ｄ）上腕二頭筋の一部
から選ばれた筋肉群を実質的に画成して成る請求項３の圧縮衣料。
【請求項６】
衣料が下半身衣料であり、筋肉稜が次のもの、即ち
ａ）大腿直筋の長頭と半腿様筋群間の稜
ｂ）大転子近傍の大臀筋側縁
ｃ）仙骨近傍の大臀筋側縁
ｄ）内外腓腹筋の頭間の膝窩筋膜上の区域
ｅ）外広筋の稜及び中広筋の稜
から選ばれたものである請求項１〜３の何れか１つの圧縮衣料。
【請求項７】
第１又は第２パネルが
ａ）前脛骨筋群
ｂ）ハムストリング腱筋群
ｃ）大臀筋
から選ばれた筋肉群を画成して成る請求項３の圧縮衣料。
【請求項８】
シームが次のもの、即ち
ａ）上前腸骨棘
ｂ）大伏在静脈
ｃ）細鼠径腺
ｄ）小伏在静脈
ｅ）卵円窩
の何れか１つを回避するようにして成る請求項６又は７の圧縮衣料。
【請求項９】
シームがステッチドシームである請求項１〜８の何れか１つの圧縮衣料。
【請求項１０】
シームがフラットステッチドシームである請求項９の圧縮衣料。
【請求項１１】
シームが４または６ニードル工程を用いたフラットステッチドシームである請求項１０の圧縮衣料。
【請求項１２】
パネルを接合せずにアンカー点を提供する縫合線を含んで成る請求項１〜１１の何れか１つの圧縮衣料。
【請求項１３】
圧縮荷重５ｍｍＨｇ〜４０ｍｍＨｇをもたらす請求項１〜１２の何れか１つの圧縮衣料。
【請求項１４】
圧縮荷重が５ｍｍＨｇ〜２５ｍｍＨｇである請求項１３の圧縮衣料。
【請求項１５】
第１又は第２パネルの一部内又は上に可変圧縮布地のパネルを含んで成る請求項１〜１４の何れか１つの圧縮衣料。
【請求項１６】
第１又は第２パネル又は第３パネルの圧縮を増大する手段を含んで成る請求項１〜１５の何れか１つの圧縮衣料。
【請求項１７】
夫々第１、第２又は第３パネルの一方の側に取り付けられ、且つ第１、第２又は第３パネルの他方の側に着脱自在に取り付け可能なタブを含んで成る請求項１６の圧縮衣料。
【請求項１８】
タブを複数含んで成る請求項１７の圧縮衣料。
【請求項１９】
静的圧縮が可能な請求項１〜１８の何れか１つの圧縮衣料。
【請求項２０】
傾斜圧縮が可能な請求項１〜１９の何れか１つの圧縮衣料。
【請求項２１】
前記材料がワープストレッチ１６０％〜１９５％の布地であり、布地グレーンに跨って切断される請求項１〜２０の何れか１つの圧縮衣料。
【請求項２２】
ワープストレッチが平均１７７．５％である請求項２１の圧縮衣料。
【請求項２３】
前記材料がデニール範囲４０〜１２０のエラストマー材料をナイロン、ポリエステル又はナイロンとポリエステルの混合物と組み合わせたものである請求項１〜２２の何れか１つの圧縮衣料。
【請求項２４】
前記材料がマイクロファイバ又は１２フィラメント材料である請求項２３の圧縮衣料。
【請求項２５】
少なくとも１つのパネルが材料のワープに対して約４５°傾斜した材料から成る請求項１〜２４の何れか１つの圧縮衣料。
【請求項２６】
体部を覆うための圧縮衣料であって、該衣料は第１の伸縮性材料パネルとこれにシームで接合する第２の伸縮性材料パネルと第１又は第２パネルの一部内又は上の第３伸縮性材料パネルとを有し、上記衣料が第３パネルの圧縮を増大する手段を含んで成る圧縮衣料。
【請求項２７】
第３パネルの一方の側に取り付けられ、且つ第３パネルの他方の側に着脱自在に取り付け可能なタブを含んで成る請求項２６の圧縮衣料。
【請求項２８】
タブを複数含んで成る請求項２７の圧縮衣料。
【請求項２９】
体部を覆うための圧縮衣料を製造する方法であって、次の工程、即ち
ａ）第１のパネルを体部に似せて切断する
ｂ）体質量インデックスに基づくアルゴリズムを用いて、体部に対して選ばれた静的又は傾斜圧縮を生成するのに適した第１のパネルのサイズを計算する
ｃ）第１のパネルのサイズを計算されたサイズに従って調整する
を含んで成る方法。
【請求項３０】
アルゴリズムが本明細書で説明のものから選ばれる請求項２５（２９）の圧縮衣料。
【請求項３１】
図１〜２４の何れか１つに付いて本明細書に記載の圧縮衣料。
【発明の詳細な説明】
【技術分野】
【０００１】
本発明は圧縮衣料及び製造方法に関する。特に、この発明は単一衣料として、又はスーツとして着用する衣料組み合わせとしてのショーツ、ロングタイツ及びトップ等の圧縮衣料に関する。
【背景技術】
【０００２】
筋肉及び筋肉活動に関する従来技術及び研究の詳細な考察はオーストラリア国予備特許出願第２００４９９５４５６（以下、「予備出願」と云う）に含まれており、その内容を引用により本明細書に導入する。
【０００３】
従来の圧縮衣料は体にぴったりとフィットするように設計されているが、活動中に筋肉の嵩と質量が増大することまでは考慮されていない。そのような従来の衣料はこの意味では非静力学的であるか、又は反傾斜性である。静力学的圧縮衣料を着用する人の筋肉の質量が活動で増大すると、この衣料は体積が３〜５％程増大する筋肉の近くではきつくなる。これにより、静的圧縮の効果が変わってしまい不快にきつく、悪い箇所がより圧縮されると云う望ましくない効果がもたらされる。同様に、これにより血液の循環が妨げられ、リンパ排液の効果が低減する。
【発明の概要】
【発明が解決しようとする課題】
【０００４】
本発明の目的は、少なくともその実施態様によっては、たとえ筋肉の嵩が増大しても、同程度の圧縮を維持できる圧縮衣料を提供することにより従来技術の圧縮衣料を改善することにある。
【０００５】
本発明のもう１つの目的は、少なくともその実施態様によっては、活動及び静止中の何れにおいても適切な圧縮を提供できる圧縮衣料を提供することにある。実施態様においては、活動後の血液中乳酸及びクレアチンキナーゼの増大からの有効な回復を助けることができる圧縮衣料を提供することも本発明の目的である。
【課題を解決するための手段】
【０００６】
一側面において本発明は、筋肉稜（筋肉隆起）を含む体部を覆い隠すための圧縮衣料であって、該衣料は第１の伸縮性材料パネルとこれにシーム（継ぎ目、縫い目）で接合する第２の伸縮性材料パネルとを有し、該シームの少なくとも一部が筋肉稜の少なくとも一部に対応するようにして成る圧縮衣料を提供する。
【０００７】
体部とは、腕、脚、上部胴、下部胴又はそれ等の組み合わせで良い。例えば、本発明の圧縮衣料は単一衣料としての、又はスーツとして着用する衣料組み合わせとしてのショーツ、ロングタイツ及びトップ等で良い。
【０００８】
筋肉稜は通常、覆う体部の主筋肉又は筋肉群の稜であろう。以下に記載の図面に関連して筋肉稜の例をいくつか示す。また、予備出願におけるステッチング情報シート及び関連する記載に言及する。筋肉稜は筋肉群における谷で表すことができる。
【０００９】
筋肉稜の例は、前鋸筋群の側縁、前鋸及び外三角筋群の側縁、広背筋群を通る側縁、大腿直筋群の長頭と半腿様筋群間の稜、ハムストリング腱の稜、大転子近傍の大臀筋側縁、仙骨近傍の大臀筋側縁及び内外腓腹筋の頭間の膝窩筋膜上の区域、及び外広筋の稜及び中広筋の稜である。本発明の圧縮衣料は筋肉の全てを完全に覆う必要は無く、シームは本発明の衣料が覆うべき筋肉稜の全長に対応する必要は無い。
【００１０】
本発明の圧縮衣料は単一エラストマー材料から成るようにしても良く、或いはまた数種の異なるエラストマー材料から成るようにしても良い。
【００１１】
本発明の圧縮衣料を構成する材料は、広範な種々の布地、異なる布地で良い。だが、本発明の衣料は好ましくは、エラスタン布地又は同様の伸縮性材料の複数のパネルから、多くはナイロン又はポリエステル又はデニール４０、６０又は上限１２０材等の同様の伸縮性材料との組み合わせで成るようにすると良い。布地は好ましくは、特定の伸縮性と復元率のものが良い。布地のワープ（曲がり）に沿う伸びが１２０〜２２５％、且つ復元率が１０〜２５％のものが極めて良い。
【発明の効果】
【００１２】
材料は好ましくは「ウィッキング（吸上げ）」効果をもち、体から湿分を吸い上げるものが良い。そのような材料は公知である。
【００１３】
本発明の圧縮衣料は、圧縮値５ｍｍＨｇ〜２５ｍｍＨｇをもたらせるものが良い。本発明の圧縮衣料は治療に用いられることも予想され、その場合、圧縮レベルは例えば上限４０ｍｍＨｇまでと高くして良い。本発明の圧縮衣料の殆どの実施態様において、圧縮は活動用衣類では２５ｍｍＨｇ下、下限５ｍｍＨｇと低グレードのもの、非活動又は非スポーツ用では３０ｍｍＨｇ，下限８ｍｍＨｇのものが良い。
【００１４】
圧縮衣料が可変圧縮性布地のパネルを、他の圧縮布地のパネル内に、又は上に加えて有することも本発明の範囲内である。
【００１５】
本発明の実施態様の１つによれば、圧縮を特定の関節や筋肉に位置付けることができる。また、増分的圧縮が、関節上の強度及び安定性を増大すると共に筋肉を支持する衣料のパネルで達せられるようにしても良い。これは、能動状態及び受動状態の何れかを選ぶ着用者が支持を頼るようにする既存技術の変形である。
【００１６】
従って、第２の側面において本発明は、体部を覆い隠すための圧縮衣料であって、該衣料は第１の伸縮性材料パネルとこれにシームで接合する第２の伸縮性材料パネルと第１又は第２パネルの一部内又はそれらの上の第３の伸縮性材料とを有し、上記衣料が第３パネルの圧縮を増大する手段を含んで成る圧縮衣料を提供する。
【００１７】
本発明の第１又は第２の側面のパネルは適宜の形状何れかで良い。これ等は以下に、本発明の方法に関して更に記載される。
【００１８】
シームは好ましくは、エラストマー材料のパネルを接合するフラットステッチドシームとすると良い。だが、シームはこれに限らない。例えば、シームは圧縮衣料の囲繞部より厚さの大きい線又は稜のもので良い。従って、シームはグルーイング、ステッチング又は他の任意の手段で良い。
【００１９】
ステッチングは好ましくは、４又は６ニードル工程を用いるフラットステッチングとすると良い。
【００２０】
シームの一部が使用中に筋肉稜１つ又は複数に沿って位置すると共に、シームの他の部分が他の解剖学的適宜位置に位置して体部の筋肉及び／又は関節を支持するようにすることも本発明の範囲内である。
【００２１】
本発明の圧縮衣料のシームが筋肉群と交差しないようにして衝撃や不必要な圧力を生じないようにするのが特に好ましい。好ましくは、シームの実質部は衣料着用時に垂直になる。
【００２２】
パネルは可能な場合、筋肉又は筋肉群の形状とするのが好ましい。例えばステッチングによるシームは筋肉隆起に沿って、筋肉形状と同一方向に動くようにすべきである。
【００２３】
臀部の筋肉を支持する場合、それ等筋肉に衝突又は交差せず、筋肉が自然形状で機能、作動するようにすると性能が促進される。臀部の周りに体形状のパネルを作る利点は、筋肉群の基部が活動時に垂直方向に動かないようにすることである。ステッチング（縫合）は強過ぎる動きに対して、特に跳躍がなされるとき、アンカーとして作用し得る。
【００２４】
臀部を覆うように設計された本発明の圧縮衣料では、後縫いが臀部を囲み、次いでハムストリング腱の稜に沿って進むようにするのが好ましい。
【００２５】
大腿の上位の場合には、卵円窩に圧力を生じる縫合はない方が良い。筋肉と大伏在静脈の周りに、それに直接圧力がかからないようにパネルを設けるのが好ましい。
【００２６】
鼠径部にはリンパ節が多く集まっているので、側方内側シームをする代わりに前縫いを用い、この部分から圧力を除くようにするのが好ましい。
【００２７】
体の中で最長の筋肉である縫工筋に関して、前縫いにより縫工筋に跨って垂直に、その上位のみであって、且つその上前腸骨棘への付着部、そして大腿直二頭筋の直上にて切断するのが好ましい。前/後縫いはこれ等の筋肉の性能には干渉しないようにする。
【００２８】
膝及び脹脛部の筋肉に関して、腓腹筋の二等筋の中心を通る後縫いを行い、筋肉本体を支持すると共に、そこから筋肉を圧縮できる安定したアンカーを生成するのが有利である。
【００２９】
胴の下部及び脚部を覆おうとする本発明の圧縮衣料の場合、衣料の前縫いは腸骨稜に近い位置の体の腰部に近い位置で開始できる。腰部（ウエスト）は衣料のモデルによっては高くしても良いが、優先位置は衣料が臍下の適切な位置で納まるようにする。
【００３０】
衣料のサイドパネルと、ヨーク又は中央パネルの縫合は、それが縫工筋の頭部を交差し、次いで大腿直二頭筋の生成する稜に納まる上前腸骨棘から、解剖学的に追従し、その溝に従って脚の前部を下方に向かうようして良い。活動中に、この溝が目立つようになる。
【００３１】
縫合は膝部にて次の二つの内のいずれかとするのが好ましい。縫合は、腸骨經骨靭帯系に接続する膝蓋骨の直上を通り、脛骨との接合部で脛骨筋の前側に位置するようにするか、膝蓋骨の周りを、膝蓋骨の動きと干渉せず、側方アンカーとして助けになりそうな位置に移動するようにすることができる。このアンカー化はパネルの接合により達成される。
この縫合は両ケース共、経膝靭帯及び膝十字靭帯と交差する足首まで下方に続く。縫合はそこで終了するか、又は衣料のスタイルが要する場合、フートピース又はスターラップに接合することができる。
【００３２】
ショーツに関しては、前縫合を膝上方の縫合終了点まで行うことにより、同じルートを取っても良い。
【００３３】
本発明の圧縮衣料は、Ｔ字交差正中線を形成する２つのサイドパネルを結合して、腰部で接合することができる。この衣料はまた、前部にて三角形を形成するガセット又は前部から後部に至る長方形又は類似の形状のフルガセットを含んで構成しても良い。そのようなガセットが置かれるとき、縫合は外斜腱膜に沿って自然に納まるような、即ち鼠径チャネル内に収まるが伏在静脈口上に圧力を直接生ぜず、且つ鼠径部のリンパ管群に衝撃を生じないような位置で行われるべきである。
【００３４】
本発明の衣料の後縫いは好ましくは、臀部を囲み、次いでハムストリング（膝窩の外側、内側に付着している腱）腱の稜に沿った位置を取るのが良い。この縫合は内側ヨークパネルを外側脚パネルに接合するが、両パネル共接合前に、脚の形状、大きさ及び寸法に形作られている。ハムストリング腱の稜上を通過した後、縫合は膝上を通り、膝に交差し、僅かにこの襞の片側まで至って膝の後部の小伏在静脈への圧力を阻止するようにすることができる。縫合は次いで、腓腹二頭筋の腹面が生成する稜線の中央に沿って移動しても良い。
【００３５】
肩及び腕部の筋肉に関して、これ等の筋肉の動きを助けるため衣料の最上部を最良位置に固定することが重要となる。縫合の接合箇所は肩部に跨って切断するのではなく、筋肉群全体に跨って圧縮を生じるのに有効であるのが好ましい。本発明の衣料最上部の縫合は、大円筋の稜及び腕の上腕三頭筋の長頭から広背筋の稜に沿って進むのが好ましい。この縫合は関節部の皮膚、血流又は関節接合を阻害してはならない。それは、背中の中央中間部まで広背筋に沿うようにするのが好ましい。
【００３６】
本発明の好適な実施態様において、パネルを接合する縫合並びに縫合線が衣料に縫い込まれたパネルを用いて筋肉を支持し、筋肉を「固定」し、縫合の固定により余分の圧縮が与えられることにより、筋肉腹がその大きさを増大するのを助けることができる。また、同じ縫合を用いて、膝などの関節部の支持や膝蓋骨の位置の支えを助成することができる。もう１つの好適な実施態様における他の位置での縫合では、脹脛筋肉又はハムストリングの支えを助成することができる。
【００３７】
圧縮及び支持「タブ」を衣料の選ばれた位置に設けることができる。タブは、エラストマー材料とは別個の既存のパネルに取り付けられ、筋肉を機能で助け、可変圧縮効果を生成する所定位置にタブを移動させることによる「引っ張り」圧力により、変化する圧縮と支持を生成すると良い。
【００３８】
圧縮衣料は好ましくは、多くの異なる活動に対して利点を生む。アスリート又は着用者は特定の仕事を実行し、その仕事の期間中に異なる（通常、より強い）レベルの圧縮を要することがある。パネルに巧妙に位置付けられる「タブ」を用いることにより、本発明の衣料には、圧縮と機能を増大するため増分が可能である。
【００３９】
ウエイトリフティングの選手はトレーニングをし、訓練し、より重い重量を持ち上げることにより、性能を上げ、筋肉質量を改善し、有効に練習するものである。圧縮値が特定の衣料を着用するだけでは、この仕事が行われる間に（パネルの）特定箇所では十分ではないであろう。彼/彼女は一連のより軽い重量で訓練し、一連のより重い重量で終える。
本発明の一実施態様では、より大きい所望の圧縮値に係わる特定のマークまで「引っ張られ」、即ちよりきつくできる、パネルの一定箇所への付属物が提供される。これは治療のためではなく、訓練又は練習のためである。一例を後に図面に挙げる。
【００４０】
本発明の方法に関連して以下に論議されるように、本発明の種々の製品のためパネルを種々の寸法に切断するとき、サイジング（寸法取り）を演繹するアルゴリズム法とは、パネルを合相応設計的に接合でき、一定体部に対する圧縮の増分的強化を可能にすることを意味する。その圧縮強化の効果は、活動後など要するとき緩めることもできる。圧縮の増大及び減少は、パネル自体の寸法と、調整されたより高いレベルの圧縮を与えるようになされなければならないパネルの減少量からなる要素である。これは、単にパネルをよりきつくする問題ではない。存在する圧縮値及び圧縮を増大し、次いで減少する安全な方法が衣料に適切なものでなければならない。この調整可能なパネルの周りには、縫合で生成される固定(アンカー)点がある。この縫合は水平モードでも、垂直モードででも良く、圧縮面積が要するその間のどんな角度ででも良い。
【００４１】
これ等の可変圧縮点は脚上にあっても良く、上部胴の腕にあっても良く、また支持と圧縮の増大を要するどんな箇所上にあっても良い。また、圧縮増大は特定の筋肉群を、筋肉自己受容性を増大するための筋肉学習及び反復動作等の特定目的のために保持するためでも良い。
【００４２】
そのような実施態様の１つは、ある筋肉群に沿って特別な材料のパネルを作製し、パネルに縫い込むか又は付加して縫工筋等の特定筋肉を残りの脚筋肉から強調できるようにしても良い。ワコールによる製造の従来技術製品では、材料パネルにバンディングを付加し、活動中の膝等の関節に支持を提供している。既存の布地層へこれ等バンドは付加支持をなすが、移動不能なものに過ぎない。これ等は全体が縫合中の衣料に取り付けられる。
【００４３】
本発明はまた、付加バンディングを、布地（通常、基材より強い又は堅い）から成り、そのバンド内の圧縮を手で調整して増大、次いで減少できる固定点に導く、その構成のどこかに用いることができる。この付加圧縮は関節及び骨格に対して利益をもたらす。
【００４４】
増分的圧縮は、或る種の活動中に限って印加するようにできる。本発明の衣料は、パネルに利用可能な種々のレベルの支持又は圧縮を印加するために、脱ぐ必要はない。
【００４５】
殆どの圧縮製品は、ストッキングであろうが、サポートタイツであろうが、水平面に９０°の角度で圧縮を提供する。本発明は実施態様によっては水平面に圧縮を加えるが、支持筋肉に対して斜めに、水平面に９０°ではなく、ワープに対して４５°前後の角度で置かれた基材にも圧縮を加える。これは、パネルの後縁から、織り目（wales）がこの後縁に対してパネルの前縁における他端より解剖学的に低い位置に位置付けられることを意味する。ワープは実施例によっては、水平面でのみならず、後縁において９０°〜１３５°の角度ででも伸び、かつ復元する。布地のこの「アングルワーピング」は、その線に沿う伸びと復元を引き起こし、覆われた筋肉が重力の作用で骨格に向かって「持ち上げられる」のを可能にする、より良い圧縮を生成する。これは、筋肉の平坦化を改善する。
【００４６】
パネル複数を本発明のために切断するとき、好ましくはそれ等を一緒に切断し、対応するサイドパネルとヨークパネルの「アングルワーピング」が同一になるようにするのが良い。水平ワーピングが生じるのは、設計された圧縮を要しない箇所においてである。
【００４７】
本発明の圧縮衣料は２つ利点をもたらすだろう。第１に、関係する筋肉を収容するために正確な形状と寸法に切断され、筋肉本体上に設計され又は一定傾きの圧縮を生成し、血液を表在静脈からより深い流路に送るパネルに支持されて、圧縮が筋肉の自己受容性を助け、圧力下の筋肉を維持し、且つ活動中の筋肉床中の血液乳酸を維持するであろう。これは持久力、パワー及びスタミナを助成する。
【００４８】
第２に、本発明で用いられる材料の圧縮性は、呼吸調整エイド及びトレーナとして用いることができる。
【００４９】
本発明はまた、本発明の圧縮衣料を製造する方法に関する。つまるところ、本発明は体部を覆い隠すための圧縮衣料を製造する方法であって、次の工程、即ち
ａ）第１のパネルを体部に似せて切断する
ｂ）体質量インデックスに基づくアルゴリズムを用いて、体部に対して選ばれた静的又は傾斜圧縮を生成するのに適した第１のパネルのサイズを計算する
ｃ）第１のパネルのサイズを計算されたサイズに従って調整する
を含んで成る方法を提供する。
【００５０】
好ましくは、体質量インデックス計算は、実施態様によっては、外肢及び体部についての既存の計測と組み合わされ、特定の体部に対する静的圧縮又は傾斜圧縮をもたらすことができ、活動又は受動の期間中に有効な圧縮範囲をもつ大きさの異なる衣料一式を得るようにされる。
【００５１】
衣料のサイジングは、体寸法の計算を助けるため伸び復元仕様の布地を用いることにより達成される。アルゴリズムは、適切な伸び及び復元範囲外の布地を用いたときのサイジングを正確に減少又は増大することを許容する。スポーツ中の衝撃により体質量変化の効果と共に、活動中の筋肉自己受容性、持久力及びスタミナの向上を助成し、活動後の血液中ラクテート（乳酸）及びクレアチンキナーゼレベルの低下を助成できる特定圧縮を用いることによる復元増強の要求も考慮される。
【００５２】
本発明に用いられるアプローチは、先ず所望の肢又は体部の推定体形状に擬してパネルを切断し、次いでアルゴリズムを用いて、完成衣料における均一に減少したパネルのサイジングが、覆われる体部に静的又は傾斜圧縮を生成するのをつきとめると云うものである。サイジングはユーザの使用（あつらえ）毎に個々に、又は１つの性（ジェンダー）又は両方の性の群サイズデータから生成すれば良い。パネルの関節接合は脇の下、臀部、膝又は肘等の特定機能を要する部位に対する特定圧縮の区域を生成するための固定（アンカー）点を用いて作ることができる。
【００５３】
静的圧縮の使用は、活動及び負荷の下で最も良い。静的圧縮衣料を受動的に着用することには利点は無い。このことを考慮すると、活動前に静的圧縮を提供する衣料は、着用者がそれを着用し、活動を開始するまでは、僅かに可変な圧縮傾斜を提供しなければならないことを意味する。肢に至るまでより高い圧力を僅かに減少することは、大きさの増大が考慮され、衣料は負荷の下でのみ静的になり、血液循環やリンパ排液を阻害する作用をもたないことを意味する。このため、パネルが切断され、縫い合わされて衣料を形成する場合、これ等のパネルは体又は肢形状に擬して縫合される前に切断で「成形」され、そのためパネルが寸法の減少無しに切断されても、パネルは均一に体部にフィットし、それが覆うどんな点でもどんな特定圧縮も窮屈さも感じさせないようにすべきである。その場合、用いられる周囲の減少は、特定の圧縮がパネルの任意に部分に印加されるようにパネルを減少するができ、その結果、縫合されるパネルが成形された肢又は体部形状を形成するようにすることができる。
【００５４】
勾配圧縮又は傾斜圧縮に関しても、同じ原理説明が用いられる。衣料がそのより低い部分で圧縮がより高くなり、衣料を持ち上げる圧縮がより低くなるようにするため、衣料が活動用に用いられるとき、同じ効果が実感されねばならない。筋肉質量は場所によって増大するので、これをサイジングが考慮して、圧縮のバランスが保持されていなければならない。
【００５５】
静的圧縮の場合と同じ基材パネルから出発し、縫合前のパネルが体又は肢形状を擬するようにすることにより、適切な圧縮をパネル化した衣料に加えることができる。そのような圧縮特性は、コンピュータ制御丸編みストッキングでは成形とサイジングがより容易であるが、本発明の以前にはサイズ範囲に亘って実効果をもたらすため、体形状を考慮する必要があったため、適切な圧縮を引き起こすことは常に困難であった。
【００５６】
従来技術の圧縮ストッキングと圧縮衣料はユーザの脹脛、大腿及び踝の大きさに関係して通常、寸法が決められている。通常、血栓症の治療や予防に用いられる膝下衣料では、大きさ取りが重要である。アスリートの努力によっては、膝下衣料を着用することは深刻な問題を引き起こす。先ず、膝下衣料は長肢の筋肉のみを支持でき、従って自己受容性を僅かに与えられるに過ぎない。第２に、衣料の最上部のバンディングは、血栓症の危険を増大する浅静脈の狭窄を起こすことがある。本発明の衣料は足首から腰部まで延びる衣料及び短又は長袖の衣料を含むことができる。
【００５７】
レディーメイドの観点からは、本発明はユーザが踝、脹脛又は大腿寸法を含む種々のパラメタを考慮できるようにする。体質量インデックス（ＢＭＩ）、即ち体寸法計算基準は身長に対して体重が特定のひとを医学用語で測定し、体質量に関して正しい体重であるか、その上、下であるかを判断する。
【００５８】
このＢＭＩアルゴリズムを用い、それを、重量から質量への変換ができるようにする他のアルゴリズムに橋渡しすることにより、本発明は９５％までの意図したユーザに体の蓋然的質量と体幹及びその四肢の形状、寸法及び大きさを算定するのと同等の適宜のサイジングの提供を可能にする。
【００５９】
米国でバリク等(Bulik et al: Int J Obes Relat Metab Discord, Oct 2001; 25(10); 1517-24)により行われた研究から、標準身体図式算定に用いられるシルエットに関する性ベース規格の確立はＢＭＩへの関連付けが可能になる。望まれる体サイズの点及び女性が小さいサイズを好む等の相違点からの、女性と男性間の差異が観測された。
【００６０】
外形的刺激は個人を肥満か痩せかに分類するための概ね正しい技術である。バリクは、５５年データ期間に亘り集められた米国の、３３４７の双子を含む２８０００人を超える白人の人口を検討した。
【００６１】
その研究は、男性及び女性に対して９種の体形を示した。体形毎の男性の平均ＢＭＩを次の表１に示した。身長が極めて高いひとの身長に関しては例外があるが、これ等例外も考慮することができる。女性のサイジングを下の表２に示す。
【００６２】
【表１】
2014211005.tif 000003
【００６３】
【表２】
2014211005.tif 000004
【００６４】
本発明は、男性と女性の通常のサイジングチャートに関してＢＭＩの関連性を突き止めた。図面の図２５は、ＢＭＩがどうこれ等既存のサイズに係わっているかを示すＢＭＩインデックスシートである。
【００６５】
データを成人人口における肥満者の概算として用いるのではなく、データから身長と体重に係わる体質量の量に付いて一個体群の個々の体形を算定できるのである。それより、外肢及び／又は体部周縁に付いてのＢＭＩ/平均体割合及び寸法及び適切な低減を変換するためのアルゴリズムが発展され、ｍｍＨｇで表される衣料内の工学的圧縮を得る。その圧縮は同一の圧縮値を全体部に亘って適用しようとする場合には静的であり、起立時の体部に沿って圧縮度が低から高に傾く場合には傾斜圧縮となろう。
【００６６】
この関係の重要なことは、それが成人人口の９５％と多くに対応できることから分かる。体形とＢＭＩに付いての異なるソース情報を用いることに関して人種的影響があるものの、結果は同じである。特定寸法を要求体部で決定し、任意の体部上の圧縮の「円滑線」設計を呼び出すことができる。
【００６７】
図２５で、質量を算定するのに用いられる既存のアルゴリズムからＢＭＩとの関連を演繹する。これ等はいまや、サイジングをもたらすため特定の圧縮（静的又は傾斜）を式に加えてことにより演繹される質量との比較はどうか、そしてそれがどうＢＭＩインデックスと関係するかを示すことに関して関連付けられている。これ等の計算に関して検討されるデータと計算結果は統計的に有意なことが示されている。（２テール）ＡＮＯＶＡのＰ値はＰ＜０．０００１であり、相関は９５％信頼区間０．８６７１〜０．９９５７で有意であった。
【００６８】
この算定及び測定及び／又はＢＭＩ及び体重/質量計算に基づくサイジングの構築法の目的は大衆市場のためである。個々の製品の誂え製造に取って代わることを意味しない。
【００６９】
完成縫製パネル又は製品の寸法が脚の形状等の体部の大きさに合うことは、衣料の構築時に脚の形状を作る特定ミシンで丸編みから作るか、あるいは切断し次いで縫い合わせたパネルから作るかに拘わらず、衣料の設計上重要である。
【００７０】
脚の形状の、例えば形状が長方形の基本パターンからパネルを縫い合わせる場合、布地が着用時の体に跨って適切に伸びるのを期待することはできない。そのように縫い合わされたパネルは体部に圧縮を加えることはできても、そのような圧縮は実際には無用のものであり、ことによると危険でさえある。縫い合わされた殆どの衣料は、体部の周りの寸法を測り、次いでそれを縮小して体部の周りでよりぴったり合う衣料を作る「肢縮小構造」効果で働く。
【００７１】
火傷治療衣料は一般に、約５ｍｍＨｇ〜８ｍｍＨｇのレベルの圧縮を体に加える２０％低減レベルとして知られたものを用いる。塞栓性血栓症防止ストッキングは足首や脹脛等の所定体部の大きさで働き、圧縮を引き起こすためストッキングの大きさを小さくするが、これ等製品の多くのものは実際には、循環を助ける利点のため傾斜形式で圧力を印加する小さな長方形の編み製品である。これ等の強いストッキングは強すぎる場合、リンパ流を制限する傾向がある。
【００７２】
本発明の目的の１つはパネルに体又は肢形を作り、次いでそれを他のパネルと縫い合わせ、実際の体部と比べて寸法が小さく、且つ完成衣料の全長に沿って特定の圧縮を加える体部又は肢部の正確なレプリカを作ることである。と云うことは、体に加わる静的圧縮が足首、脹脛、膝及び腿で同じの圧縮であり、肢寸法及び体質量に関して厳密になる。
【００７３】
本発明は、静的圧縮の場合でも、活動中の効果のために圧縮のパラメタが構築前の衣料パネルに考慮され、巧みに処理されなければならないと云う、及び活動製品では、最初の着用時でない活動及び負荷下時に静的圧縮ファクタが加えられなければならないと云う原則を圧縮が反映しなければならないと云う従来技術では考慮されていなかったことの解決に供するものである。このことは要するに、本発明には工学的逆圧縮ファクタがあって、これで負荷の下に静的圧縮を加えようとすることを意味する。
【００７４】
静的圧縮衣料をサイジングするためのアルゴリズムは「負荷下」応答に対して、肢（手／足）寸法の増大を考慮しなければならない。
【００７５】
脚や腕を傾斜圧縮するストッキング、包帯又は衣料の製造科学は多年知られている。下方部で最強、上方部でより軽い種々の圧縮を加えることの効果は循環を助けるものとして知られている。治療として、また予防法としての従来技術には通常、塞栓症防止ストッキング（医療用ＴＥＤ）、サポート用の、また脚の痛み及び疲れを軽減するストッキングがあった。圧縮の利点はスポーツ熱中者において分かっており、様々な研究が血液乳酸、クレアチンキナーゼの低下並びに遅延初期筋肉痛（ＤＯＭＳ）の逸話的低下に関して利点を有することが分かった。
【００７６】
本発明で用いられるアルゴリズムは、その静的圧縮の処理と同様に傾斜圧縮を取り扱う。着用者の要求に従って、特定の衣料はその使用が確認され、特に具体的な圧縮の位置が定められる。用いられる傾斜はスポーツ等の適用毎に異なっても良い。ある衣料を重量挙げやトレーニングに用いる着用者は、トレーニングに使用する１つの衣料に付き異なる圧縮値を求めることもある。
【００７７】
本発明のアルゴリズムは動的活動の変化を考慮し、必要な機能を果たすため適切な圧縮を維持することができる。
【００７８】
さて、圧縮を要する肢又は体部の１つの寸法から別の寸法への変換に付いて述べる。静的又は傾斜圧縮の何れが要求されるかにも拘わらず、パネル、即ち目的体部又は肢寸法と一致する形状を作らねばならない。他のところで表された体質量の関連データと、肢又は体部に合う要求寸法と同一の寸法整数を用いる体重から質量への計算を考慮に入れることが重要である。
【００７９】
本発明はこのファクタを確認し、それを達成する方法を示す。小さくせずに縫い合わされるパネルは、体寸法と同種なもの以外のどんな圧縮値を加えずとも、海水面での肢又は体部に合うだろう。そのときＢＭＩによる寸法補正と、体重/質量比較を決定するアルゴリズムを用いることにより、傾斜覆いされる目的部の全長に沿って傾斜圧縮を引き起こす寸法が決定される。
【００８０】
最初の寸法は肢の周囲である（ソースユニット）。減少パネルの所望寸法を演繹する（所望ユニット）。次いで、その計算の結果を更に演繹して、パネルに沿う特定接合点での要求圧縮値を提供する。活動によっては、着用者の使い方の性質も考慮する。また、種々の標高で活動を行う人々に着用される製品等に付いては、標高差も考慮する。
【００８１】
このソースユニット（ユニットｓ）を所望ユニット（ユニットｄ）に改造する。ｑｓをソースユニットで表される数値量、ｑＳＩを標準(ＳＩ）システムにおける等価量、ｑｄを所望ユニットにおける量とする。ｆｓ=ファクタ(ユニットｓ)をソースユニットの変換率、ｆｄ＝ファクタ（ユニットｄ）を所望ユニットの変換率とする。そうすると、次の式が得られる。
【００８２】
ｑｓ・ｆｓ＝ｑｄ・ｆｄ…数１
【００８３】
ｑｄ＝ｑｓ・ｆｓ/ｆｄ…数２
【００８４】
従って、所望ユニットへの変換はソース量にファクタｆを掛けることにより得られる。
ここで、
【００８５】
ｆ＝ｆｓ/ｆｄ＝ファクタ（ユニットｓ）/ファクタ（ユニットｄ）…数３
【００８６】
変換関数は独立変数としてソースユニットと所望ユニットを取り、変換が未定義又は不正確なら、変換ファクタｆを元に又は０に戻す。次いで、計算が繰り返される。寸法縮小は百分率での減少である。本発明の衣料における縮小のパラメタは、覆おうとする肢又は体部の３５％〜１５％である。
【００８７】
IEEE Transactions on Software Engineering, Vol. 21, no. 8 (August 1995), pp. 651 − 661 において、Novak はソースユニットと目標ユニットが異なる場合のユニット変換と寸法解析を説明している。これは、寸法整数と寸法ベクトルの変換に係わる。
【００８８】
体重と質量をＢＭＩ計算に対するチェック機構として用いることは決定的に重要である。整数ファクタ１/９．８０６６５を用いることにより、ｋｇでの体重を質量のニュートン力に変換し、布地強度値と性能を算定することができる。布地はニュートンでの特定の「力」特性を提供できるので、布地の特性と効果の間の当該関係の決定を助ける。
【００８９】
多くの性能布地は、衣料を構成する布地が働く仕方での利点を提供する。それ等はウィッキング、即ち体に対して一方の側から他方の側への汗の輸送を行う。同じ方法はまた、体からの熱輸送のために使用できる。また、布地を消毒等で衛生的にし抗微生物保護をする。本発明は任意の伸縮性布地を用いて、その圧縮ファクタ(率)を得る。既存の技術では特定の伸性と復元性の布地を用いる。実際、ワープ縫いされた伸縮性布地はワープに沿う伸びが９０％〜２２５％以上である。その伸びから０〜１００％の復元となる。ウェフト伸びは０〜２００％以上で良く、復元はワープと同じで良い。実際、どんな量の伸び及び復元も布地に、その構造により引き出すことができる。
【００９０】
圧縮衣料では、伸びと復元が極めて重要である。体に逆らって伸び、筋肉を支持し且つ循環を助けようとする布地は通常、タイトフィットし、その伸び軸に沿ったある点で停止し、復元が望まれる点に達しなければならない。また、その復元力が重要である。伸び後に伸び前の位置に戻る点まで復元しないか、復元し過ぎる布地で作られる製品は余り快適でない。
【００９１】
グレーン(布目：織り目)で切断され、ワープに対する一般の工業標準規格（１５０〜２２５％）まで伸びる布地、通常、布地のグレーンで切断され、着用者の身長で縦に伸びる布地を既存技術は用いている。本発明のもののように、布地のグレーンに跨って切断され、ワープ及びウェフト伸びを異なった仕方で用いるパネル及び衣料を用いて製造される既存の衣料もあるが、本発明の以前には、そのような布地仕様を評価し、マーカー（切断マーク）に対して正確に変更及び修正して正確な圧縮を引き出すことはできなかった。
【００９２】
衣料がグレーンに跨って切断される場合、理想的なワープ伸びは通常１６０〜１９５％又はその辺りであり、その復元能力は１０〜２０％である。これ等伸びパラメタの平均は伸びがどちらか１方向に１０％、復元もどちらか１方向に５０％であり、平均が１５％である。パターンの問題は、衣料が通常セット設計に切断され、寸法間の格付けの工業標準規格に従って格付けされることである。既知の勾配が小と中及び中と大の間にある。これ等の既存の格付け一定の布地供給に頼っている。
【００９３】
本発明の衣料は好ましくは、好適なワープ伸びが１６０〜１９５％で、グレーンに跨って切断された布地を用いる。これ等のパネルを同一仕様の他のパネルと縫い合わしても良い。通例必ずしも信頼できないのが伸縮性布地の製造者である。工業標準規格として、何れか一方向に５％許容差は適当と見られている。即ち、サイジングの伸び又は復元方法は１０％では誤りであり得る。体の特定点に特定の圧縮値又は圧縮度を加える衣料では、そのような変動が完成品の圧縮ファクタ並びに全有効性に及ぼす影響は大きい。各々がサイジングで１０％の変動のある２つ以上のパネルを縫い合わせると、重大な問題が生ずる。
このサイジング問題を克服し、圧縮値を不変に留めるため、本発明はアルゴリズムを用いて使用布地の差を計算する。
【００９４】
本発明は、ワープ編み又は丸編みを問わず布地の伸びと復元を算定し、要求パネル又は体片の適切なサイジングを演繹するための計算を提供する。マーカーの作成時になされる複雑な計算は、極めて重要である布地の伸び及び復元を算定でき、要求圧縮値を得るのに用いることができるのである。本発明の以前には、布地は衣料の使い方に特に合うように作られねばならず、もしそうでなければ異なる布地で異なる要求条件に合うように圧縮を変えることはできなかった。
【００９５】
布地の好適なワープ仕様は平均１７７．５％（１６０％＋１９６％÷２＝１７７．５）である。伸びがこの平均より大きい布地を用いるとき、次の計算が用いられる。
【００９６】
Ｓｆ（用いる布地％）÷Ｓｐ（好適な平均％）ｘ  π…数４
＝−Ｒ（サイジング減少％）
従って、
Ｓｆ（２２５）÷Ｓｐ（１７７．５）ｘ３．１５＝＋Ｒ％
−Ｒ％＝１．２８５ｘ３．１４
−Ｒ％＝４．０３９（マーカーのパネルサイズ４％減少）
【００９７】
布地のワープ伸びが平均１７７．５％下であれば、次の計算が用いられる。
【００９８】
Ｓｆ（用いる布地％）÷Ｓｐ（好適な平均％）ｘ  π…数５
＝−Ｒ（サイジング％増加）
従って、
Ｓｆ（１５０）÷Ｓｐ（１７７．５）ｘ３．１５＝Ｒ％
＋Ｒ％＝０．８４５ｘ３．１４
＋Ｒ％＝２．６５（マーカーのパネルサイズ％増加）
【００９９】
パネルサイズの減少又は増加はサイジングの第１の計算後に計算され、布地を要求パネルに切断するために作成される計算機生成マーカーに影響を及ぼす。この減少又は増加は、パネルの横でない縦の縁上の各パネル縁に影響する。パネルは起立体に対して縦に切断されるので、サイジング計算はパネル毎に２倍になる。従って、パネル増大２．６５％が縁毎に生じ、そのパネルに対して全増大５．３％になる。
【０１００】
パネルを小さくするときも、同じことが起こる。これ等の増大及び減少はＣＡＤ，ガーバー、ツカテク又は他の同様のシステム等のコンピュータマーキングシステムを用いると簡単になる。マーカーはまた既存の厚紙パターンから作成することもできるが、適切に増減した一連のパターンが必要になろう。手動でする格付けが能率的であるとも、経済的であるとも思われない。
【０１０１】
本発明に用いる布地の重量は好ましくは、１７０〜２００ｇｓｍである。これ等布地はスウェード/ブラシ加工したものでも、そうでないものでも良く、ライクラ等のエラステインとナイロン又はポリエステルのマイクロファイバを混ぜたものとの混合物で良い。エラストマー混合物におけるエラステインの比は少なくともエラステイン（ライクラ等）１８％、好ましくは２２％以上であるべきである。１つの衣料内の全てのパネルが同じ材料である必要は無く、本発明の変更例は、固定又は関節点等の異なる機能を果すため異なる重量と含有率のエラステイン組成物を含んでも良い。また、衣料内の様々なパネルを種々の材料で構成し、必要な圧縮を引き出させるようにしても良い。
【０１０２】
好適な布地は、デニール範囲が４０〜１２０デニールで、ナイロン又はポリエステル又は両者の混合物等の伸縮性材料と混ぜ合わせたライクラ等のエラストマー材料から成るエラストマー材料である。快適さを増すため、スウェード加工した又はしないマイクロファイバ材又は１２フィラメント材でも良い。
【０１０３】
本発明は製品の使い方に応じて、膝及び股関節の種々の関節部を含むことができる。既存技術には、フィッティング性を改善しようとするパネルの適用や衣料の構築が多数ある。標準的な切断方法や布地へのパターン設置方法を用いると、体が曲がったり、伸びたりする部分でギャザリングやフィッティング不良が生ずる。
【０１０４】
布地のグレーンに関して水平面で切断されたパネルに付き構築された衣料において、本発明は同様のグレーン伸び又は復元性の布地インサートの関節点を用いる。或いはまた、より高い伸び及び復元性を有利に用いて、このフィット不良を低減することができる。フィッティング不良パネルとは、圧縮値がそれ等の部分で要求されるとき失われることを意味する。この克服のために、本発明は、布を布目に跨って異なる角度及び程度に切断することにより伸びと復元が逆になる「角度ワーピング」で切断されたパネルを用いることができる。通常、既存技術では、このフィット不良を低減する仕方で丸編み布地が衣料全体に用いられるが、丸編みは本発明の全機能要求に応ずることはできない。
【０１０５】
膝及び股関節に関係するこれ等関節点は好ましくは、膝や股関節自体には位置付けられず、その近傍のパネル上に位置付けられ、関節部の周りの伸びと復元を改善している。
【０１０６】
関節が存在し、且つフィットがピッタリして、適切な圧縮度で機能し続ける亜場合には、本発明の構築方法は股関節及び膝の部分の形状を、減少アルゴリズムを用いてその点のパネルを、フィットを得るための所望量だけ小さくすることにより、考慮できるようにする。異なるバイアスで（吊るすのに用いられる布地が形状によりピッタリとフィットするようにするため作られるバイアスではなく、負荷下の体活動の機能を改善するためのバイアス関節で）切断されるパネルを組み込むことにより、圧縮を特にこれ等の関節点に固定することができ、体と衣料とが均一にフィットできるようにする。
【０１０７】
圧縮衣料のサイズを含む衣料のサイズに関して既存技術に見られるサイズ格付けの問題は、ランニングの際に機能する筋肉の質量が増大する問題が考慮されていないことである。本発明のサイジングアルゴリズムはこれを考慮する、これは、サイジングの正常な格付け差は通常現在の既知技術には従わないことを意味する。
【０１０８】
脚の硬直に関しては適切なサイジングを、中長距離ランナー等の、異なる圧縮値を、従って正しいサイジングを演繹するためのアルゴリズムを要する小さいアスリートに対して突き止める必要がある。本発明のアルゴリズムはこれを演繹することができる。
【図面の簡単な説明】
【０１０９】
【図１】本発明によるロングスリーブ上体衣料である圧縮衣料の第１の実施態様の前面図である。
【図２】図１の実施態様をショートスリーブ化した第２の実施態様の前面図である。
【図３】本発明のショートスリーブ圧縮衣料である第３の実施態様の前面図である。
【図４】圧縮衣料の第４実施態様の背面図を示す。
【図５】ショートスリーブ圧縮衣料であるもう１つの実施態様の前面図である。
【図６】圧縮衣料のもう１つの実施態様の背面図を示す。
【図７】ロングパンツである圧縮衣料の一実施態様の部分を形成する脚の前面図。
【図８】図７の脚の拡大図を示す。
【図９】図７及び８の圧縮衣料の拡大背面図を示す。
【図１０】図７〜９の圧縮衣料の変形の一部である脚の背面図を示す。
【図１１】図７〜１０の衣料の脚の一部の背面図を示す。
【図１２】図７〜１０の衣料の脚の一部の前面図を示す。
【図１３】ロングパンツである圧縮衣料のもう１つの実施態様の前面図を示す。
【図１４】図１３の圧縮衣料の背面図である。
【図１５】ロングパンツである圧縮衣料のもう１つの実施態様の前面図である。
【図１６】ロングパンツである圧縮衣料のもう１つの実施態様の背面図である。
【図１７】ショーツである圧縮衣料のもう１つの実施態様の前面図である。
【図１８】ショーツである圧縮衣料のもう１つの実施態様の背面図を示す。
【図１９】ショーツである圧縮衣料のもう１つの実施態様の背面図を示す。
【図２０】圧縮衣料（パンツ）の脚部の周辺の断面図である。
【図２１】ロングパンツである圧縮衣料のもう１つの実施態様の側面図である。
【図２２】ショートパンツである圧縮衣料のもう１つの実施態様の側面図である。
【図２３】一構成において可変圧縮手段をもつショーツである圧縮衣料の実施態様の側面図である。
【図２４】もう１つの構成の図２３のショーツの側面図である。
【図２５】本発明の製造方法のためのＢＭＩインデックスシートである。
【発明を実施するための最良の形態】
【０１１０】
本発明の理解を助けるため、添付図面に示す非限定実施態様に付いて述べる。
【０１１１】
図面を詳細に参照して、図１は、４又は６ニードルフラットベッド縫い２が衣料に沿って解剖学的位置にある、即ち前鋸筋群に沿って位置する本体１を有する衣料１０を示す。
腋窩の下の部分３は、圧縮度が本体１のものとは異なる又はより高い布地（伸びがより高いエラスタン化合物を含む）を用いている。部分３に用いられるものと同様の布地が、伸び縮みをよりし易くする衣料１０の側部に沿って延びるサイドパネル４に用いられている。衣料１０の下縁５は、伸張を許容し、且つ側方圧力稜ができないように縁取り（ヘム）されている。手首ヘム６も同様の設計と構造であり、圧力が着用者の手首（図示せず）にかからないようにしている。
【０１１２】
衣料１０のスリーブには、外側パネル７と内側パネル８がある。これ等は衣料本体１と同様の構成及び仕様で良く、また筋肉の自己受容性を異にしても良い。外側パネル７と内側パネル８間の縫合２は筋肉に跨る切断を回避するように設計され、その長さの少なくとも一部が上腕二等筋の稜に沿って延びている。
【０１１３】
図２は、ショートスリーブである点を除いて図１に示したものと同じ圧縮上着を示す。
この図以降、同一部分を示すのに同一参照番号が用いられる。
【０１１４】
図３はショートスリーブ上着の前面図を示す。パネル１３及び１４は布地の「アングルワープ」として、即ちこれ等の部分の布地が衣料本体１１の布地とは異なって、即ちグレーンに対して角度をもって切断されている。パネル１３と１４に用いられる衣料本体１１の布地とは異なる伸びの布地、又はバイアスして切断される布地間で、縫合１２が固定点となっている。外側パネル１７は図１及び２における外側パネル７に対応する。内側パネル１８は図１及び２における内側パネル８に対応する。
【０１１５】
図４は、サイドパネル２２が下部ヘム１９までずっと延びている点を除いて、図１〜３の衣料と類似した構造のショートスリーブ上着の背面図を示す。スリーブ２１は縫合１２で分離された内側及び外側パネル１８、１７を含まない。
【０１１６】
図５では、衣料２５はパネル１４が前鋸筋群及び外三角筋群の周りにある。
【０１１７】
図６に示す衣料２６はサイドパネル２７が腋窩パネル１３から腰部２３までの広背筋群の側縁を覆い、支持している。
【０１１８】
図７はロングパンツである圧縮衣料３０の一脚２８の前面図を示す。図７は、内側パネル３１がフラットベッド縫い３２を用いて外側パネル２９に接合されるかを、及び縫合３２がどのように衣料３０の解剖学的位置おける前筋膜に解剖学的稜及び床部に沿って適合するかを示す。図７はまた、他の２つの好ましい特徴を示している。ガセットパネル３４は着用者の鼠径領域下に位置している。縫合線３３がガセットパネル３４の側部又は上部に取り付けられ、フロントパネル３５をガセットパネル３４及び内側パネル３１に固定する。縫合線３３は鼠径襞に着座することや、浅鼠径腺に当たるのを回避するように位置付けられる(図８参照)。縫合腺３２の上部は着用者の脚の内側にある大伏在静脈から離れた位置に位置し、着用者の大腿直筋の稜に位置する位置にある。
【０１１９】
図８は図７の部分を拡大したものであるが、縫合腺３３が回避する着用者の鼠径腺の位置を破線３７で示している。
【０１２０】
図９は衣料３０の脚部２８の一部の背面図であり、ガセットパネル３４がどのように幅広く衣料３０の前部から後部に至るかを示している。縫合３８は脚部２８の後部を下に降り、着用者の大転子３９の近傍の着用者の臀筋肉の側方縁上にある。
【０１２１】
図１０は図７〜９の衣料の変形を示す。衣料４０では一方の脚部２８が示され、縫合線３９は着用者の大臀筋の他の側に移動されており、仙骨４１の近くの臀筋の付着側にある。
【０１２２】
図１１は図７〜９又は図１０の実施態様の後部を示す。図１１において、縫合線３２は着用者の大腿骨及び半腱様筋（破線輪郭で図示）の長頭の稜に沿って続いている。着用者の膝において、縫合線３２は着用者の内側及び側方腓腹筋（破線輪郭で図示）の頭部間で着用者の膝窩上を通り、次いで２つの筋肉４４及び４５の中心にある筋肉本体上を通っている。
【０１２３】
図１２は図７〜１１の左脚２８の一部の前面の図を示す。縫合線３２は着用者の膝蓋骨４４（点線輪郭で図示）の外周の周りを通っている。縫合線も膝蓋骨４４から、着用者の脛骨４５の側部と着用者の前脛骨筋４６（点線輪郭で図示）の縁部との接合部の形成する稜を下方に進む。
【０１２４】
図１３は圧縮衣料のもう１つの実施態様の前面図である。この図では、衣料５０は前記実施態様と同様に解剖学的縫い目３２を有するのみならず、縫合線３３から移転し、膝蓋骨４４の周りに支持部を形成する縫合線４８を含む。縫合線４８はパネルを接合しないが、着用者の筋肉と関節のアンカー支持部を形成するようにパネルに縫い込まれている。
【０１２５】
図１４は衣料５０の背面図を示し、着用者の臀筋４９及びハムストリング５１の部分がどのように縫合線３２及び５２により支持されるかを明示する。これ等はハムストリング５１の支持を生成し、筋肉を所定位置に留め、その膨らみを減少する。
【０１２６】
図１５はロングパンツである圧縮衣料６０の更なる実施態様の前面図である。この実施態様では、図１４の実施態様とは異なり、長い縫合線４８が短い縫合線５４で置き換えられる。縫合線５４はパネルを接合しないものの、筋肉及び関節の支持を生成し、特に膝蓋骨４４を支持するアンカー縫い目として作用する。図１３の実施態様の縫合線３３は縫合線５５で置き換えられている。
【０１２７】
図１６は、図１３の実施態様と比べて縫合線５６が短く、衣料６１の全長を実質的に通らずに着用者のハムストリング５１を支持できる衣料６１の背面図を示す。衣料６１にはスターラップ（あぶみ）５７が含まれている。
【０１２８】
図１７は図１３の衣料５０のショートバーションといえるショーツ６２の前面図であり、アンカー縫い３２が縫合線４８と組み合わさって着用者の大腿直筋上に大きな筋肉支持パネル５８を生成している。縫合３２は一方の側で着用者の外広筋と他方の側で着用者の内広筋に沿って進む。ここでも、縫合線３３はガセット３４に結び付き、着用者の鼠径部と当たらないようにしている。
【０１２９】
図１８はショーツ６３の背面の図を示す。ショーツ６３では、シーム３２と縫合線４８がパネル５９の部分にて着用者のハムストリングを囲繞している。
【０１３０】
図１９は本発明のもう１つの実施態様の背面図を示す。ショーツ６４には、縫合線６６を用いて衣料６４に付加された伸縮性材料の付加パネル６５がある。この付加パネル６５は、必要部に、且つ必要筋肉群上に圧縮層を付加することにより筋肉群を支持することができる。
【０１３１】
図２０は圧縮衣料７１で囲繞された着用者の肢７０の断面図であり、通常（従来技術）の縫合シーム７２を示す。シーム７３（従来技術のように）はより大きな輪郭にするため２度縫い込まれ、サイクリストやランナーのために衣料７１の前部での空気力学的最適性状を助けるようにしている。だが、衣料７１の目的のため、本発明に従い、縫合線７３は、本明細書で図面に関して記載される正確な解剖学的位置となる位置７４に移動している。
【０１３２】
図２１は、シーム７５で縫い込まれた可変圧縮点パネル７６を含む圧縮衣料８０を側面図で示している。衣料８０はまたスターラップ５７を含む。可変圧縮パネル７６は衣料８０の布地７７と類似の伸び及び復元特性の布を含む布地作りで成るようにできるが、異なるアングル（アングルワーピング：アングル曲がり）で切断されたか、又はより高いグレードの圧縮又は伸縮性布地を用いて固定（アンカー）点として作用させることもできる。
パネル７６の目的は、特に治療又は怪我をした後の着用者のヒップに支持を提供することである。パネル７６は現存の布地７７上に設置しても良く、また後者に切り込んでも良い。
【０１３３】
図２２は、同じ可変圧縮パネル７６を備える、衣料８０に類似する圧縮ショーツ８１を示す。
【０１３４】
図２３及び２４は、図２２の実施態様のパネル７６並びに可変圧縮パネル７８を含むショーツ８５の実施態様を示す。パネル７８には２つのタブ７９が、パネル８２に取り付けられるベルクロテープを用いて取り付けられ、パネル７８の方が小さくなるようにされる。（用いられるタブ７９の数は２つより多くても少なくても良い。）これは、衣料８５の張力又は圧縮力を増大する効果があり、この効果は活動後に、又は活動中の怪我を減少する助けとして、特に有用となる。図２４は、タブ７９が閉じられ、衣料８５がよりきつく伸ばされた状態でタブ７９がどう見えるかを示している。
【０１３５】
次に、図２５のＢＭＩインデックスシートに付いて述べる。
【０１３６】
本発明の圧縮衣料は、特に図面に示されているような好適な実施例では、選ばれたワープ（曲がり）及びウェフト（横系）伸び及び復元特性を備えた選定されたエラストマー布地の組み合わせたものであると云うことが当業者には理解されよう。エラストマーワープ及びウェフト伸び及び復元特性は、衣料内の部分に戦略的に配置された適切な圧縮を得るように選ばれる。衣料パネルは、特定のパネルが覆う又は包む所定の体部、外肢、躯幹又は胴に付いて設計される。パネルデザインは、パネルが包む体部と同様に成形される。特定の筋肉及び／又は筋肉群の囲みは寸法が計算され、囲まれた筋肉、筋肉群又は体部の特定設計圧縮が発生される。本発明は、ＢＭＩ(体質量インデックス)を用いて計算される、従ってＢＭＩアルゴリズムと呼ばれるアルゴリズムサイジングシステムを用い、これがパネル寸法計算及び設計進展において考慮される。
【０１３７】
好適な実施態様において、このように技術的に設計されたパネルが特定のアングルで縫い合わされ、各パネルが体部、外肢、躯幹、筋肉及び／又は筋肉群の囲みを形成するようにされる。パネルの縫い合わせは垂直方向に、又は垂直方向に対して変化して、特定の筋肉又は筋肉群を横断することなく行われ、衣料内に囲まれた体の筋肉構造の効果とエネルギーの低下を回避する。パネルは主としてフラットロック（扁平）縫いで縫われが、衣料の分割された部分のパネル内に設計された圧縮度でパネルが機能し得るようにする、同じ性能の固定縫合する他の非貫入性縫いを用いて縫い合わせても良い。
【０１３８】
筋肉ラッピング（包囲）は衣料の設計に重要であり、垂直性又は垂直性の変型に反するように設計されるべきでない。この垂直性の変型は、筋肉又は筋肉群を横断しないように２つ以上のパネルを縫い合わせる衣料の部分として定義される。筋肉、腱又は靭帯をくるむ、覆う又は包むため、何れかの方向に曲がっても南北方法をとる。
【０１３９】
衣料は改変設計において、アンカーとして役立つ他の布地片を組み入れることができる。他の布地片はまた、図７〜２４に図示のもののように、下体衣料の構築に用いられる股当て片にみられるような特定の圧縮を要しない衣料設計の非重要部に設置することもできる。
【０１４０】
衣料は静的及び／又は傾斜圧縮を含み、衣料の全機能を達成するようにしても良い。
【産業上の利用可能性】
【０１４１】
本発明の衣料は広範囲のスポーツ及び活動に亘って、エリートの及びリクリエーションとしてのアスリートに強化された性能と回復をもたらすことができる。本発明の衣料は航空機飛行での重大な静脈血栓症の回避、またジェット機旅行による疲れの回避軽減を助けるであろう。
【０１４２】
本衣料は酸素の循環及び流れを高め、乳酸の蓄積を低下し、体温の制御を助け、筋肉の振動を軽減するだろう。
【０１４３】
本発明の方法は多種の体形に対して正確な圧縮の印加を可能にする。
【図１】
2014211005.tif 000005
【図２】
2014211005.tif 000006
【図３】
2014211005.tif 000007
【図４】
2014211005.tif 000008
【図５】
2014211005.tif 000009
【図６】
2014211005.tif 000010
【図７】
2014211005.tif 000011
【図８】
2014211005.tif 000012
【図９】
2014211005.tif 000013
【図１０】
2014211005.tif 000014
【図１１】
2014211005.tif 000015
【図１２】
2014211005.tif 000016
【図１３】
2014211005.tif 000017
【図１４】
2014211005.tif 000018
【図１５】
2014211005.tif 000019
【図１６】
2014211005.tif 000020
【図１７】
2014211005.tif 000021
【図１８】
2014211005.tif 000022
【図１９】
2014211005.tif 000023
【図２０】
2014211005.tif 000024
【図２１】
2014211005.tif 000025
【図２２】
2014211005.tif 000026
【図２３】
2014211005.tif 000027
【図２４】
2014211005.tif 000028
【図２５】
2014211005.tif 000029
【手続補正書】
【提出日】平成26年7月30日(2014.7.30)
【手続補正１】
【補正対象書類名】明細書
【補正対象項目名】０１４３
【補正方法】変更
【補正の内容】
【０１４３】
本発明の方法は多種の体形に対して正確な圧縮の印加を可能にする。以下、本発明の実施形態を列記する。
〔１〕筋肉稜を含む体部を覆うための圧縮衣料であって、上記衣料は第１の伸縮性材料パネルとこれにシームで接合する第２の伸縮性材料パネルとを有し、上記シームの少なくとも一部が筋肉稜の少なくとも一部に対応するようにして成る圧縮衣料。
〔２〕シームの実質部が衣料の着用時に垂直である項目１の圧縮衣料。
〔３〕第１又は第２パネルが実質的に筋肉群を画成して成る項目１又は２の圧縮衣料。
〔４〕衣料が上半身衣料であり、筋肉稜が次のもの、即ち
ａ）前鋸筋群の側縁
ｂ）前鋸及び外三角筋群の側縁
ｃ）広背筋群の側縁
ｄ）上腕二頭筋の稜
から選ばれたものである項目１〜３の何れか１つの圧縮衣料。
〔５〕第１又は第２パネルが
ａ）前鋸筋群
ｂ）前鋸及び外三角筋群
ｃ）広背筋群
ｄ）上腕二頭筋の一部
から選ばれた筋肉群を実質的に画成して成る項目３の圧縮衣料。
〔６〕衣料が下半身衣料であり、筋肉稜が次のもの、即ち
ａ）大腿直筋の長頭と半腿様筋群間の稜
ｂ）大転子近傍の大臀筋側縁
ｃ）仙骨近傍の大臀筋側縁
ｄ）内外腓腹筋の頭間の膝窩筋膜上の区域
ｅ）外広筋の稜及び中広筋の稜
から選ばれたものである項目１〜３の何れか１つの圧縮衣料。
〔７〕第１又は第２パネルが
ａ）前脛骨筋群
ｂ）ハムストリング腱筋群
ｃ）大臀筋
から選ばれた筋肉群を画成して成る項目３の圧縮衣料。
〔８〕シームが次のもの、即ち
ａ）上前腸骨棘
ｂ）大伏在静脈
ｃ）細鼠径腺
ｄ）小伏在静脈
ｅ）卵円窩
の何れか１つを回避するようにして成る項目６又は７の圧縮衣料。
〔９〕シームがステッチドシームである項目１〜８の何れか１つの圧縮衣料。
〔１０〕シームがフラットステッチドシームである項目９の圧縮衣料。
〔１１〕シームが４または６ニードル工程を用いたフラットステッチドシームである項目１０の圧縮衣料。
〔１２〕パネルを接合せずにアンカー点を提供する縫合線を含んで成る項目１〜１１の何れか１つの圧縮衣料。
〔１３〕圧縮荷重５ｍｍＨｇ〜４０ｍｍＨｇをもたらす項目１〜１２の何れか１つの圧縮衣料。
〔１４〕圧縮荷重が５ｍｍＨｇ〜２５ｍｍＨｇである項目１３の圧縮衣料。
〔１５〕第１又は第２パネルの一部内又は上に可変圧縮布地のパネルを含んで成る項目１〜１４の何れか１つの圧縮衣料。
〔１６〕第１又は第２パネル又は第３パネルの圧縮を増大する手段を含んで成る項目１〜１５の何れか１つの圧縮衣料。
〔１７〕夫々第１、第２又は第３パネルの一方の側に取り付けられ、且つ第１、第２又は第３パネルの他方の側に着脱自在に取り付け可能なタブを含んで成る項目１６の圧縮衣料。
〔１８〕タブを複数含んで成る項目１７の圧縮衣料。
〔１９〕静的圧縮が可能な項目１〜１８の何れか１つの圧縮衣料。
〔２０〕傾斜圧縮が可能な項目１〜１９の何れか１つの圧縮衣料。
〔２１〕上記材料がワープストレッチ１６０％〜１９５％の布地であり、布地グレーンに跨って切断される項目１〜２０の何れか１つの圧縮衣料。
〔２２〕ワープストレッチが平均１７７．５％である項目２１の圧縮衣料。
〔２３〕上記材料がデニール範囲４０〜１２０のエラストマー材料をナイロン、ポリエステル又はナイロンとポリエステルの混合物と組み合わせたものである項目１〜２２の何れか１つの圧縮衣料。
〔２４〕上記材料がマイクロファイバ又は１２フィラメント材料である項目２３の圧縮衣料。
〔２５〕少なくとも１つのパネルが材料のワープに対して約４５°傾斜した材料から成る項目１〜２４の何れか１つの圧縮衣料。
〔２６〕体部を覆うための圧縮衣料であって、上記衣料は第１の伸縮性材料パネルとこれにシームで接合する第２の伸縮性材料パネルと第１又は第２パネルの一部内又は上の第３伸縮性材料パネルとを有し、上記衣料が第３パネルの圧縮を増大する手段を含んで成る圧縮衣料。
〔２７〕第３パネルの一方の側に取り付けられ、且つ第３パネルの他方の側に着脱自在に取り付け可能なタブを含んで成る項目２６の圧縮衣料。
〔２８〕タブを複数含んで成る項目２７の圧縮衣料。
〔２９〕体部を覆うための圧縮衣料を製造する方法であって、次の工程、即ち
ａ）第１のパネルを体部に似せて切断する
ｂ）体質量インデックスに基づくアルゴリズムを用いて、体部に対して選ばれた静的又は傾斜圧縮を生成するのに適した第１のパネルのサイズを計算する
ｃ）第１のパネルのサイズを計算されたサイズに従って調整する
を含んで成る方法。
〔３０〕アルゴリズムが本明細書で説明のものから選ばれる項目２５（２９）の圧縮衣料。
〔３１〕図１〜２４の何れか１つに付いて本明細書に記載の圧縮衣料。
【手続補正２】
【補正対象書類名】特許請求の範囲
【補正対象項目名】全文
【補正方法】変更
【補正の内容】
【特許請求の範囲】
【請求項１】
体部を覆うための圧縮衣料を製造する方法であって、
この圧縮衣料は少なくとも１つの第１のパネル材料から形成されるものであり、前記方法は、
ａ）圧縮衣料によって保護されるべき、人の体部用の所定の圧縮度を選ぶこと；
ｂ）体重及び身長を体質量に変換し適切なサイジング減少又はサイジング増加を計算することができる、前記人の体質量インデックスに基づくアルゴリズムを用いて、第１のパネルサイズを決定すること；
ｃ）使用時に衣料が体部に所望の圧縮を保証するように前記第１のパネルを用いて衣料を製作すること
を特徴とする方法。
【請求項２】
体部用の所定の圧縮を選定することは静的又は傾斜圧縮に基づくものであることを特徴とする請求項１に記載の方法。
【請求項３】
所定の圧縮は、その体部が圧縮される目的に従って選定されることを特徴とする請求項１又は２のいずれかに記載の方法。